(57)【要約】【課題】身体に圧迫を与えず、前のめりになったり前に倒れたりすることがなく、楽に用を足すことのできる小便器用手すりを提供する。【解決手段】壁Ｗに取り付けられた小便器１０の両側部に、壁Ｗから突出するようにサイド手すり１を取り付けた小便器用手すりにおいて、サイド手すり１の前方端に、内側に向かって鈍角で折曲した背中支え部２を形成する。この背中支え部２にもたれかかることにより、体重を背中で支えることができる。そのため圧迫感がなく、身体にとって非常に楽である。解放した手を用いて用を足すことができる。なお、サイド手すり１に、杖を保持する杖ホルダーを設けたり、両側部のサイド手すり１間に、上部手すりを連設したり、背中支え部２に緩衝用パッドを取り付けたりすることもできる。【選択図】  図１
2005110947.tif 000002
【特許請求の範囲】
【請求項１】
壁面に取り付けられた小便器の両側部に、前記壁面から突出するようにサイド手すりを取り付けた小便器用手すりにおいて、
前記サイド手すりの前方端に、内側に向かって鈍角で折曲した背中支え部を形成したことを特徴とする小便器用手すり。
【請求項２】
前記サイド手すりに、杖を保持する杖ホルダーを設けたことを特徴とする請求項１記載の小便器用手すり。
【請求項３】
前記両側部のサイド手すり間に、上部手すりを連設したことを特徴とする請求項１または２に記載の小便器用手すり。
【請求項４】
前記サイド手すりの背中支え部に緩衝用パッドを取り付けたことを特徴とする請求項１から３のいずれかの項に記載の小便器用手すり。
【発明の詳細な説明】
【技術分野】
【０００１】
本発明は、足腰が弱かったり、障害があったりして、自立が困難な人が小便器を利用する際に身体を支える機能を持たせた小便器用手すりに関する。
【背景技術】
【０００２】
障害者や高齢者が利用する可能性があるトイレに設置される小便器には、立った状態でバランスが保たれるように、左右にサイド手すりが設けられている。
しかし、半身が麻痺した人などは、健常な方の片手でサイド手すりを握って体を支えると、利く方の手がふさがり、用を足しにくい。そこで、身体を前方に預けて支え、その状態で用を足すことができるように、両側のサイド手すりにまたがって設けた上部手すり（人体支え部）を設けた手すりが提案された（例えば、特開２００２−２２３９９０号公報（特許文献１）参照）。
【０００３】
【特許文献１】特開２００２−２２３９９０
【発明の開示】
【発明が解決しようとする課題】
【０００４】
しかしながら、特許文献１に記載されている従来の小便器用手すりには、次のような問題点があった。
（１）身体の前面で支えるため圧迫感があり、障害内容によっては使用できない。特に１本のパイプで支えるので、身体には強い圧迫を受ける。
（２）身体に障害がある人が前のめりの状態から身体を起こすのは、かなり大変である。また、前のめりの状態のまま身体の向きを変えることは難しく、一旦身体を起こしてから向きを変える必要があるので、前のめりの状態から身体を起こす動作は避けられない。
（３）小便器側に身体を預けるので、万一身体を支えきれなくなって倒れこんだとき小便器に身体が触れることになり、きわめて不衛生である。
そこで本発明は、身体に圧迫を与えず、前のめりになったり前に倒れたりすることがなく、楽に用を足すことのできる小便器用手すりを提供することを目的とする。
【課題を解決するための手段】
【０００５】
前記課題を解決するため、本発明の第１の構成は、壁面に取り付けられた小便器の両側部に、前記壁面から突出するようにサイド手すりを取り付けた小便器用手すりにおいて、前記サイド手すりの前方端に、内側に向かって鈍角で折曲した背中支え部を形成したものである。
この第１の構成においては、サイド手すりの前方端に形成された背中支え部に背中をもたれかけた状態で用を足すことができるので、体重を背中で支えることができる。また、両手が解放されるので、片方が不自由でも、他方の手を使用することができる。
【０００６】
本発明の第２の構成は、第１の構成の小便器用手すりにおいて、前記サイド手すりに、杖を保持する杖ホルダーを設けたものである。
手すりを利用する人は、大部分杖を使用しているので、杖を手すりに立てかけたときに滑らないように、杖を杖ホルダーに保持して用を足すことができるようにする。
【０００７】
本発明の第３の構成は、第１または第２の構成の小便器用手すりにおいて、前記両側部のサイド手すり間に、上部手すりを連設したものである。
背中支え部に、もたれかけて用を足した後に身を起こすときなどに、上部手すりをつかんで引けば、背中が背中支え部から離れるので、楽に用を足す前後の動作ができる。
【０００８】
本発明の第４の構成は、第１〜第３の構成の小便器用手すりにおいて、前記サイド手すりの背中支え部に緩衝用パッドを取り付けたものである。
サイド手すりは、鋼管などで作られることが多く、硬くて冷たいので、背中支え部に緩衝用パッドを取り付ければ、背中が痛くなったり冷えることがない。
【発明の効果】
【０００９】
本発明によれば、次の効果を奏する。
（１）サイド手すりの前方端に、内側に向かって鈍角で折曲した背中支え部を形成したので、体重を背中で支えることができる。そのため圧迫感がなく、身体にとって非常に楽である。背中で支えている状態から身体を起こすのは、比較的簡単であり、あまり負担にならない。また、背中で支えている状態のまま身体の向きを変えることは簡単にできるので、身体が楽である。背中支え部に寄りかかることにより、小便器とは反対側に身体を預けるので、万一身体を支えきれなくなって倒れこんだときも小便器に身体が触れるおそれが少ない。
（２）杖ホルダーを設けることにより、杖を不衛生にならずに手元に置くことができる。
（３）両サイド手すり間に上部手すりを連設することにより、力を入れずに用後に背中支え部から身を起こすことができる。
（４）緩衝用パッドをサイド手すりの背中支え部に取り付けることにより、背中に対する圧迫感がなく、また寒冷期に背中が冷えることがない。
【発明を実施するための最良の形態】
【００１０】
以下、本発明の実施の形態を、図１〜図５を用いて具体的に説明する。
［第１実施形態］
図１は本発明の第１実施形態に係る小便器用手すりの取付状態を示す斜視図、図２は使用状態の平面図である。
これらの図において、壁Ｗには、小便器１０が取り付けられており、小便器１０の両側には、鋼製パイプをコ字状に曲げたサイド手すり１が、その基端部を壁Ｗに固定することにより設置されている。左右のサイド手すり１の前方端には、鈍角で内側に曲げられた背中支え部２が形成されている。もちろん、左右両側の背中支え部２の先端の間隔は、人がそこを楽に通って小便器１０に近付ける寸法としておく。
【００１１】
この第１実施形態においては、図２に示すように、サイド手すり１の前方端に形成された背中支え部２の間に入った後、体を斜めにして背中をもたれかけ、姿勢が安定したところで静止すると、体重を背中で支えることができる。これにより両手が解放されるので、片方が不自由でも、他方の手を使用することができる。
【００１２】
［第２実施形態］
図３は、本発明の第２実施形態に係る小便器用手すりを示す斜視図である。
この実施形態では、杖を置くための杖ホルダー３をサイド手すり１の基部にネジ等で取り付けたものである。
小便器用手すりを利用する人は、足腰が弱いため、大部分の人が杖を支えにして歩行しているので、用を足す時には杖をどこかに置かなければならない。サイド手すり１のどこかに立てかけると、杖が滑って床に落ちやすい。床に落ちた杖を拾う場合には、腰をかがめたり膝を折らなければならないし、拾った後、立ち上がらなければならない。その動作が、足腰の弱い人にはつらい。
そこで、サイド手すり１に設けた杖ホルダー３に、杖の上部のフック状部分や紐を掛けることで、携帯していた杖を倒れないように保持することができ、解放した手で、用を足すことができる。
【００１３】
なお、本実施形態には、図３に示すように両サイド手すり１間に上部手すり４を連設している。これにより、用を足した後に、力を入れずに背中支え部から身を起こすことができる。あるいは、用を足す前に背中支え部２に寄りかかるときにも、上部手すり４を用いれば、見えない背中支え部２に完全に背中が支えられたことを確認した上で上部手すり４から手を離すことができ、安心である。
【００１４】
［第３実施形態］
図４および図５は、それぞれ本発明の第３実施形態を示す要部斜視図である。
図４の例では、サイド手すり１の先端部の背中支え部２の上下のパイプに、それぞれＣ字断面の緩衝用パッド５を装着し、面ファスナー６等で固定したものを示している。この図４の例では、緩衝用パッド５の複数箇所を面ファスナー６で固定しているが、緩衝用パッド５の切れ目全体を一つの長い面ファスナーで止めるようにしてもよい。
【００１５】
図５の例では、サイド手すり１の先端部の背中支え部２の上下のパイプに、一つの緩衝用パッド７を取り付けたものを示している。この緩衝用パッド７は、筒状の緩衝材を背中支え部２の先端から挿入することで装着してもよく、また、シート状のものを背中支え部２に巻き付けた後に面ファスナー等で止めてもよい。
緩衝用パッド５，７の材料としては、ゴム、プラスチック、発泡樹脂、繊維など、背中支え部２に当たる背中に対して緩衝性を有する素材を用いる。
【００１６】
この第３実施形態では、サイド手すり１は、鋼管など、金属で作られることが多く、硬くて冷たいので、背中支え部２に緩衝用パッド５，７を取り付けることにより、背中が痛くなったり、寒冷期にサイド手すり１により背中が冷えることがない。
【産業上の利用可能性】
【００１７】
本発明は、足腰が弱かったり、障害があったりして、自立が困難な人が小便器を利用する際に身体を支える機能を持たせた小便器用手すりとして、有用に利用することができる。
【図面の簡単な説明】
【００１８】
【図１】本発明の第１実施形態に係る小便器用手すりの取付状態を示す斜視図である。
【図２】１実施形態に係る小便器用手すりの使用状態の平面図である。
【図３】本発明の第２実施形態に係る小便器用手すりを示す斜視図である。
【図４】本発明の第３実施形態を示す要部斜視図である。
【図５】本発明の第３実施形態の他の例を示す要部斜視図である。
【符号の説明】
【００１９】
１  サイド手すり
２  背中支え部
３  杖ホルダー
４  上部手すり
５  緩衝用パッド
６  面ファスナー
７  緩衝用パッド
１０  小便器
Ｗ  壁
【図１】
2005110947.tif 000003
【図２】
2005110947.tif 000004
【図３】
2005110947.tif 000005
【図４】
2005110947.tif 000006
【図５】
2005110947.tif 000007